(57)【要約】【課題】本発明は、枚葉紙印刷機の熱風乾燥装置に関し、印刷機の領域又は排紙装置の上昇部の領域でニス引き装置又はインキ装置に後置されて配設し、乾燥効果は熱せられたガス、特に乾燥機の空気を被印刷材料に当てることでもたらされる。本発明は、プロセス工学上、特に機械駆動コストの点で従来のアプローチに対して有利な方法で、要求された乾燥効果を達成する解決法を提供するという課題に基づく。【解決手段】この課題は、乾燥した気流を被印刷材料上に当てる吹出装置と、吹出装置を通る気流を運ぶ誘導装置と、気流を熱する加熱装置と、気流の温度を調節する制御装置と、被印刷材料を吹出装置に対して背面側にある被印刷材料の裏面の領域で冷却する冷却装置とを備える、印刷機の熱風乾燥装置によって解決される。熱風乾燥装置は、冷却装置に取り込まれる又は他の方法で用意された熱い気流を利用して乾燥した気流を予熱するために、予熱用熱交換器が備える。【選択図】図２
2009092374.tif 000002
【特許請求の範囲】
【請求項１】
ウェブ加工用あるいは枚葉紙加工用の印刷機のための、熱風で作動する乾燥装置であって、
乾燥した気流を被印刷材料上に当てるための吹出装置（１）と、
該吹出装置（１）を通る乾燥した気流を運ぶための誘導装置（２）と、
乾燥した気流を熱するための加熱装置（３）と、
乾燥した気流の温度を調節するための制御装置（４）と、
乾燥装置を通る被印刷材料をガイドするために設けられたガイド走行部あるいは枚葉紙走行部を冷却するための冷却装置（５）と、を備える乾燥装置において、
前記ガイド走行部あるいは前記枚葉紙走行部の領域において前記冷却装置（５）によって取り込まれた熱い気流を利用して乾燥した気流を予熱するために、予熱用熱交換器（６）が備えられており、
前記加熱装置（３）が、気流の通り道で前記予熱用熱交換器（６）に後置されている気流の通り抜け部分に配設されていることを特徴とする乾燥装置。
【請求項２】
前記冷却装置（５）がガイド走行部冷却器あるいは枚葉紙走行部冷却器として実施されており、熱媒体を利用して前記ガイド走行部あるいは前記枚葉紙走行部からの放熱を行うことを特徴とする請求項１に記載の乾燥装置。
【請求項３】
熱媒体として液体が用いられ、該液体が前記ガイド走行部冷却器あるいは前記枚葉紙走行部冷却器と、前記予熱用熱交換器（６）と、を通って送られることを特徴とする請求項２に記載の乾燥装置。
【請求項４】
熱媒体が冷却アセンブリによって送られ、該冷却アセンブリの作用媒体を形成することを特徴とする請求項２または請求項３に記載の乾燥装置。
【請求項５】
前記冷却アセンブリの領域において生じる廃熱を、乾燥した気流を予熱するために集めることを特徴とする請求項２から請求項４のいずれか一項に記載の乾燥装置。
【請求項６】
前記吹出装置（１）および／または枚葉紙走行部冷却器を外部から熱に関して隔離するために、被覆装置が設けられていることを特徴とする請求項１から請求項５のいずれか一項に記載の乾燥装置。
【請求項７】
被印刷材料に乾燥のプロセスを促進させる放射線を当てるためにラジエータ装置が設けられ、該ラジエータ装置はＩＲラジエータあるいはＵＶラジエータあるいはマイクロウェーヴラジエータとして実施されていることを特徴とする請求項１から請求項６のいずれか一項に記載の乾燥装置。
【請求項８】
排気ガス排出装置が設けられていることを特徴とする請求項１から請求項７のいずれか一項に記載の乾燥措置。
【請求項９】
排ガス熱交換装置から取り込まれた熱い気流によって乾燥機の空気を予熱するために、排気ガスが同様に熱交換装置を介して送られることを特徴とする請求項１から請求項８のいずれか一項に記載の乾燥措置。
【請求項１０】
前記吹出装置がブローボックスを備えていることを特徴とする請求項１から請求項９のいずれか一項に記載の乾燥措置。
【請求項１１】
前記予熱用熱交換装置が前記ブローボックスに組み込まれていることを特徴とする請求項１から請求項１０のいずれか一項に記載の乾燥措置。
【請求項１２】
前記予熱用熱交換器（６）に対して乾燥機の空気を調節するための装置（１２）が設けられていることを特徴とする請求項１から請求項１１のいずれか一項に記載の乾燥措置。
【請求項１３】
乾燥機の空気を調節するための前記装置（１２）は空気中の湿度を下げるための装置を備えており、前記装置は水分離器を備えていることを特徴とする請求項１２に記載の乾燥装置。
【請求項１４】
印刷機を通ってガイドされる被印刷材料の乾燥を実施するための方法であって、
乾燥した気流が吹出装置を用いて被印刷材料上に当てられるとともに、被印刷材料をガイドするために備えられた枚葉紙走行部が冷却され、
枚葉紙走行部の領域で取り込まれた熱を利用して乾燥した気流が予熱されることを特徴とする方法。
【請求項１５】
乾燥した気流は、冷却効果で除湿され、
その後、枚葉紙走行部の領域あるいは乾燥装置の廃熱の領域において取り込まれた熱を利用して再び加熱され、それからさらに予熱されて駆動温度にまで上昇させられることを特徴とする請求項１４に記載の方法。
【発明の詳細な説明】
【技術分野】
【０００１】
本発明は、請求項１のおいて書きに記載の熱風乾燥装置に関する。
【背景技術】
【０００２】
そのような乾燥装置は枚葉紙印刷機あるいはロール紙印刷機に適しており、特に印刷機の領域においてニス引き装置あるいはインキ装置に後置されて、あるいは排紙装置の上昇部の領域において配設することができる。乾燥効果は熱せられたガス特に、本願では頻繁に熱風と記されている乾燥機の空気を被印刷材料に当てることでもたらされる。
【０００３】
被印刷材料を温めることで場合によっては起こり得る被印刷物の変形を最小限にとどめるために、被印刷材料を、乾燥した空気が当てられる面の背面側の領域で、当該領域に設置された走行部の冷却器によって冷却することが知られている。
【０００４】
特許文献１から、熱を用いて印刷されたウェブあるいは着色されたウェブを乾燥させる方法及び装置が知られている。熱を用いて印刷されたウェブあるいは着色されたウェブを乾燥させる方法は、印刷されたウェブが第１段階で非接触の熱ショックにさらされ、その後第２段階で第１段階よりも低温で接触加熱され、それに引き続き第３段階では直接的な接触を介して冷却されることを特徴としている。その際、冷却時に得られるエネルギーは、冷却アセンブリを用いて他の装置部材に送られる。
【０００５】
特許文献２から、乾燥設備を有する印刷機が知られている。当該印刷機は、列を成すように設けられ被印刷材料ウェブが通過する複数の印刷装置が備え付けられている。それぞれの印刷装置には、乾燥設備が後置されている。各乾燥設備はそれぞれ、被印刷材料ウェブを支える個々の調温ローラの周囲に設置されている。ここでは、調温ローラによって排出された熱が乾燥した空気を予熱するために使われるようになっている。
【０００６】
さらに特許文献３において、印刷されたばかりのウェブ紙を乾燥し冷却するための装置が記載されている。印刷されたばかりのウェブ紙を乾燥し冷却するための装置には、乾燥機と、通過方向において乾燥機に続く冷却器と、通過区間に沿って設置された、通過するウェブ紙に熱く乾燥したガスあるいは冷気を吹きつけるための噴射装置と、揮発油性あるいは樹脂状の物質で濃縮された、乾燥機内部から出る乾燥用ガスのための吸引管を有する再燃焼室と、純粋なガスを噴射装置に送る供給管と、過剰な純粋ガスを排出する導管とが備えられている。冷媒を有する吸収冷却機は、排ガス用導管を通って出て行く純粋ガスから奪われる熱が冷媒に送られるという方法において、乾燥機や冷却器と熱技術上結びついている。しかも、冷却器内にある冷気あるいは冷却器に流れ込む新鮮な空気から奪われた熱が、冷却機の気化装置に送られる。
【０００７】
既知の装置は、装置部材を冷却する際に発生する熱エネルギーを乾燥機のような他の装置部材に再度投入するために、コストがかかる構造形態をしている。
【特許文献１】独国特許出願公開第３３２４１３０号明細書
【特許文献２】独国実用新案出願公開第２０２０６４０７号明細書
【特許文献３】独国実用新案出願公開第２９８１９２０２号明細書
【発明の開示】
【発明が解決しようとする課題】
【０００８】
本発明は、プロセス工学上そして特に機械駆動コストの点でこれまでのアプローチに対して有利な方法で、要求された乾燥効果を容易なやり方で達成することのできる解決法を提供するという課題に基づいている。
【課題を解決するための手段】
【０００９】
この課題は、本発明により請求項１の特徴によって解決される。
【００１０】
その際、熱風で作動する印刷機用乾燥装置を使用することになる。当該装置は、乾燥した気流を被印刷材料上に当てるための吹出装置と、吹出装置を通る乾燥した気流を運ぶための誘導装置と、乾燥した気流もしくは熱い気流を熱するための加熱装置と、乾燥した気流の温度を調節するための制御装置と、熱風乾燥装置を通る被印刷材料をガイドするために設けられた枚葉紙走行部を冷却するための冷却装置と、を備えている。熱風で作動する乾燥装置は、枚葉紙走行部の領域において冷却装置を通って取り込まれた熱い気流を利用して乾燥した気流を予熱するために利用される予熱用熱交換装置が設けられている点で優れている。
【００１１】
それにより、好適には、枚葉紙走行部冷却装置から排出された熱い気流を熱風で作動する乾燥装置の領域において直接的に、乾燥した空気の予熱に利用することが可能となる。総じてこれにより、印刷機の廃熱量および乾燥装置のエネルギー消費を大幅に削減することになり、それにより機械自身のエネルギー消費を大幅に削減することになる。
【００１２】
排紙装置の領域に場合によっては取り付けられ得るＩＲ／ＴＬ乾燥機によって発生し、その下に配設されている枚葉紙走行部にも影響を及ぼして非常に激しく加熱させる強力な熱出力を、乾燥した気流の予熱に利用することが特に可能となる。乾燥機の空気を熱するために備えられた加熱装置は、気流の経路において予熱用熱交換装置に後置されている。加熱装置はこれにより、要求された最終温度にまで乾燥機の空気を熱するために必要なエネルギーを、すでに予熱された乾燥機の空気に注入するだけでよい。
【００１３】
冷却装置は好適には、枚葉紙走行部冷却器として実施され、枚葉紙走行部からの放熱は好適には、液状の熱媒体によって行われる。当該熱媒体は、好適には循環装置によって、乾燥した気流を予熱するために使用される本発明に係る予熱用熱交換器を通って運ばれる。
【００１４】
熱媒体を、さらにその他の冷却格子あるいは冷却アセンブリによって運ぶことも可能である。冷却アセンブリによって熱媒体をさらに運ぶ場合、冷却アセンブリの領域において生じる廃熱も、乾燥した気流を予熱するために集めて利用することが、特に可能である。乾燥した気流はその際、好適には熱ポンプの原則に従って熱せられ、枚葉紙走行部を通って運ばれた熱媒体は、好適には冷却アセンブリの作用媒体をも形成している。
【００１５】
本発明に係る乾燥装置は、好適には熱に関して著しくカプセル化されている。この熱に関するカプセル化は、特に被覆装置によって実現され、当該被覆装置はそれ自体吹出装置や好適には枚葉紙走行部をも、印刷機の更なる周辺から可能な限り覆っている。乾燥機の効果をさらに支援するために、乾燥プロセスを助ける放射線を被印刷材料に当てるためのラジエータが、好適には備えられている。この放射線は、ＩＲラジエータによってあるいはＵＶラジエータによっても発生させられ得る。
【００１６】
乾燥装置の領域で生じる、汚染された排気ガスを排出するためにとりわけ、好適には排出装置が備えられている。当該排気ガス排出装置は好適には、熱交換装置を介して排気ガスがこの排気ガス排出装置にさらに運ばれ、ここで排気ガスから取り出された熱い気流が同様に乾燥機の空気を予熱するために集められて利用され得る。
【００１７】
熱せられた乾燥機の空気を被印刷材料に吹きつけるために備えられている噴出装置はとりわけ、ブローボックスによって形成されており、当該ブローボックスは好適には噴出ノズルプレートを備え、熱せられた空気が被印刷材料に当該噴出ノズルプレートによって充分均一に吹き付けられる。とりわけ、ブローボックスを使って吹出装置を実現する場合には、本発明に応じて乾燥機の空気を予熱するために備えられた予熱用熱交換装置と、場合によっては、たとえば電気発熱コイルとして形成された発熱装置も当該ブローボックスに組み込むことが可能である。
【００１８】
本発明の更なる観点に従って、始めに記載された課題は、印刷機を通ってガイドされる被印刷材料の乾燥を実施するための方法によって解決される。その方法においては、乾燥した気流が吹出装置を用いて被印刷材料上に当てられ、そして被印刷材料をガイドするために備えられた枚葉紙走行部が冷却され、枚葉紙走行部の領域で取り込まれた熱を利用して乾燥した気流が予熱される。
【００１９】
噴出ノズルを通って被印刷材料に噴出される空気が、噴出領域のそばすなわちブローボックスの包括領域内で再び取り込まれ、実質的に閉鎖された空気循環部を介して循環されるよう、乾燥機を駆動させることが可能である。当該「閉鎖されて」循環させられる乾燥機の空気に蒸発した媒体が過度に取り込まれるのを防ぐために、この閉鎖された循環部から気流の一部を取り出し、乾気洗浄機、特に低温コンデンサーを介して送り、乾燥した空気の凝縮可能な溜分を分離する。その際発生する、洗浄され急速冷却された冷たい気流は枚葉紙走行部冷却器に送られ、それにともなって枚葉紙走行部を冷却するために利用され、場合によってはろ過されて再び循環部に戻される。この点において乾燥機は、非常に排出に問題のない枚葉紙処理モジュールとして駆動させられ得る。
【発明を実施するための最良の形態】
【００２０】
本発明の更なる詳細及び特徴は、図面と関連した以下の記載から明らかとなる。図に示されるのは以下のとおりである。
【００２１】
図１に示されている乾燥装置は、乾燥装置を通ってガイドされる被印刷材料の乾燥に利用される。当該乾燥装置は吹出装置１を備えている。当該吹出装置１は、この実施例においては複合型のＩＲ乾気乾燥機として実施されており、乾燥のためのいわゆる熱風を発生させるのに適している。当該吹出装置を介して、ここでは矢印で表されている乾燥した気流を被印刷材料に吹きかけることが可能である。乾燥した気流を吹出装置１に供給するために、誘導装置２が設けられている。当該誘導装置２は、ここで示されている実施例においては、送風装置として実施されている。乾燥した気流を必要な乾燥温度にまで熱することは、加熱装置３によって行われる。当該加熱装置３の加熱出力は、制御装置４によって制御される。
【００２２】
被印刷材料としては、様々な材質のウェブあるいは枚葉紙が知られており、またそれらが適している。その際被印刷材料はそれぞれ乾燥装置の領域において、ガイド走行部あるいは枚葉紙走行部として実施され得るガイド面によってガイドされる。以下に、これについて枚葉紙状の被印刷材料のための実施形態が記述される。
【００２３】
乾燥装置はそれに応じてさらに、枚葉紙走行部冷却器あるいはガイド走行部冷却器として実施された冷却装置５を備えており、当該冷却装置５は、乾燥装置の領域において被印刷材料をガイドするために設けられた枚葉紙走行部の冷却に利用される。
【００２４】
本発明に係る乾燥装置は、枚葉紙走行部から取り込まれた熱い気流を利用して乾燥した気流を予熱するために、予熱用熱交換器６が備えられていることを特徴としている。冷却装置５を介して生じた冷却効果は、冷却器制御装置７によって制御される。
【００２５】
ここで示されている実施例においては、気流の通り道で予熱用熱交換器６に後置されている気流の通り抜け部分に加熱装置３がある。これにより、加熱装置３が確実に、すでに予熱用熱交換装置６によって予熱された空気を、必要とあらば求められる最終温度に熱することができるようにする。
【００２６】
ここでは枚葉紙走行部冷却器として実施される冷却装置５は構造上、導管システム８によって送られる熱媒体を利用して枚葉紙走行部から放熱を行うよう、形成されている。この熱媒体とは、好適には液状の熱媒体あるいは特に、枚葉紙走行部冷却器や乾燥機の空気を予熱するために用いられる予熱用熱交換器６を通って循環する冷媒が問題となり得る。当該熱媒体はさらに、必要な場合には特に低い冷却温度を確保するため、補助冷却アセンブリを通って送られることができる。当該冷却アセンブリは、該冷却アセンブリの領域で生じる廃熱を同様に乾燥した気流の予熱のために集めて利用するよう、形成されることができる。その他にも、乾気の予熱の枠内で熱媒体からなお充分ではないまま排出された廃熱を、ここでは模範として記された補助熱交換器９を介して排出することも可能である。ここで示された実施例において、吹出装置１は枚葉紙が通り抜ける経路のすぐ隣にあり、このために印刷機あるいは場合によっては排紙装置の側枠の間に配設されている。
【００２７】
図２には、図１の乾燥装置の実施形態の非常に合理的な補足が示されており、乾燥のために用意される空気の前処理に関係している。
【００２８】
ここでは、発生させるべき熱風のための空気供給が、乾燥装置への入り口で新たに調節されることができるようになっている。この処置の根本的な目的は、得られる乾燥効果を高めるために、乾燥用に得られるべき熱風から湿気を取り去ることである。
【００２９】
それゆえ以下のような、図２に記された乾燥装置のモデルが考えられる。空気はもはや、未処理の外気を単純に取り入れることで直接的に供給されるのではなく、空調装置１２を介して空気供給が行われる。当該空調装置１２は、凝縮水分離器と結合されて形成されている。乾気もしくは熱風の調製過程における空調装置の場所で温度Ｔが下がる。なぜなら冷気の進入もしくは熱の放出を介して、湿度Ψが凝縮されるからである。同様に乾気もしくは熱風の湿度Ψが下がる。なぜなら水分が分離・除去されるからである。熱力学上の基本的なこの過程は、モリエル線図から引き出すことができる。
【００３０】
第１の空気供給の領域における乾気もしくは熱風の空調に伴う温度の損失は、比較的容易な方法で、すでに記載された熱の回復のためのシステムの枠内において、再び熱交換器６と９とを介し過剰な熱エネルギーを移動させることで補うことができる。
【００３１】
さらに、そのままの空気の温度を上昇させるために必要な熱エネルギーを、
・冷却されるべき枚葉紙走行部の冷却装置５（たとえば水冷装置）から、あるいは
・乾燥区間用の乾燥装置１において暖気供給の分岐した部分気流として、あるいは
・再加熱装置１４としての乾燥区間において過剰な暖気の吸出１３から得られるエネルギーにより、
再び獲得し、乾気に補うことができる。
【００３２】
その際供給されその間に乾燥された乾気もしくは熱風の温度Ｔは、再び上昇する。しかし湿度Ψは一定に保たれている。
【００３３】
その時々の乾燥作業に最適な温度ＴOptimumにまで空気を熱するのは、乾気噴射装置１に対して直接的に前置された市販されている単純な加熱レジスタ３においてである。乾気噴射装置１からの噴気はその際、乾燥の成果および枚葉紙の走行に気流が最適になるよう合わせられた噴出口を介して行われる。
【００３４】
このような装置の利点はとりわけ、作り出される乾燥した熱い空気が次のような性質を有していることである。すなわち、
・ひとつには、標準に対して不変かつ高い熱風温度を確保できること、そして
・さらに以前と比べて明らかに大きくなった湿気受容性を確保できること。
【００３５】
このようにして、乾燥装置の出力をさらに上げることができる。これは特に、さらに多くの出力を獲得するために影響を及ぼし得るさらなるパラメータを持たない利用法に当てはまる。これと関連して、例として挙げられるのは以下のものである。
・機械の動作速度が速い場合の駆動
・推定される非常に幅の広い生産のスペクトル、あるいは
・プロセスの安定性が特に大きな意味を持つ印刷注文の実行
【００３６】
同様に、標準的なプロセスの際の値に対して、湿度が変化しなければ、必要な熱風温度は著しく低くできるという利点も生じる。
【００３７】
より低い温度であれば、傷みやすい素材もしくは着色やニスを効率的に乾燥させることができる。両方の観点から、加熱エネルギーの大部分を記載された方法で比較的容易に節約することが可能となる。
【００３８】
一般的に、図２に関連して記載された装置を空調装置１２と共に使用することで、一定のプロセスパラメータを得ることができる。なぜなら結局のところ温度Ｔも湿度Ψも一定に保たれるからである。このことは、世界中どこでもこの装置を備える印刷機の任意の設置場所に関しても、生産シフトの間の生産経過にとっても、示された装置に当てはまる。
【００３９】
従って上記の点から、投入された熱エネルギーは転換されたエネルギーの回復も含めて、正確かつ効率的なやり方で利用される。このことは明らかな省エネを意味し、本発明に係る乾燥システムを利用することで省エネでありまた省コストでもある印刷機を作り上げ操業させることに貢献する。当該乾燥システムはモジュール式に作り上げられており、パラメータ化できるので、すでに開発の時点でまた使用の際にはなお一層、フレキシブルかつ安価に乾燥の成果を様々な利用分野に対して最適化することが可能である。
【００４０】
ここで示されている乾燥装置をここでは詳しく記載されていない被覆要素によって、印刷機の周辺からは熱に関して切り離すことが可能で、その結果印刷機の周辺領域において本発明に係る熱風乾燥装置から出る廃熱は最小限のものである。
【００４１】
乾燥機の空気を熱に関して調節するために設けられたモジュール特に予熱用熱交換器６と加熱レジスタ３は、印刷機の側面領域に配設することができる。吹出装置１と枚葉紙走行部冷却器５は、容易に機械に取り付け・取り外し可能なプラグ・イン・モジュールとして実施可能で、当該モジュールをここで示されたシステムに組み入れるために好適には、機械にインターフェースが用意されている。当該インターフェースは、単純に差し込むだけでモジュールと機能的に連結できるか（「プラグ・アンド・プレイ」）、あるいは素早く特別な組み立ての手間がかからずに処理できる別の方法でモジュールと機能的に連結できる。
【００４２】
本発明に係るコンセプトによって、予熱用熱交換器における周辺の空気は枚葉紙走行部の冷却サークルによって予熱される。熱風乾燥機の駆動温度は引き続いて加熱レジスタにおいてさらに上昇させられ、要求された温度値に調節される。当該温度ＴＬが規定の設定値に達するように、加熱レジスタ３は制御変数ＴＬによって制御される。機械内で駆動温度が上昇するに伴って熱交換器の出力も上昇する。空気の予熱はそれにより、ますます強くなる。それから加熱レジスタは、出力に応じて好適には下方制御される。伝達される電気出力はそれにより減少する。
【００４３】
加熱レジスタと熱交換器は好適には、直接乾燥機に配置されており、それによって加熱レジスタから乾燥機へ向かう熱風の通り道と枚葉紙走行部から熱交換器へと向かう冷媒の通り道とはできる限り短く保たれることができ、これにより装置の効率が改善される。
【００４４】
本発明に係る熱風ボックスの課題は、その特性において要求された熱い気流（規則性、強さ、プロファイル、方向）を発生させ、枚葉紙に相応に乾気を当てることである。このボックスは好適には、シートメタルの構成として実施され、それにより比較的安価に作り上げることができる。
【００４５】
本発明に係る乾燥機システムの実施は、暖気吸出装置が組み込まれた結合型のＩＲ／ＵＶラジエータ乾燥システムとして実施されることができる。全体として、本発明に係るブローボックスシステムは多くの分野で活用でき、安いコストで箱型に作り上げることができる。
【００４６】
本発明に応じて備えられた予熱用熱交換器は少なくとも確実に、枚葉紙冷却ガイドの領域における温度ＴＢを、最高温度Ｔmaxよりも低く抑えることができる。場合によっては熱交換器６は、操作変数ＴＢを有する制御部７を介して作動させることができる。
【００４７】
乾燥機システムの本発明に係る構成は、省エネの印刷機を作り上げるために大いなる貢献をなす。本発明に係るシステムはモジュール式に作られることができ、乾燥機の効果をフレキシブルかつ安価に最適化することができる。枚葉紙走行レベルでの冷却の枠内において排出される熱出力は、本発明では乾燥機の空気の予熱に用いられる。加熱レジスタに供給される外気を枚葉紙走行部の冷却サークルにおける予熱用熱交換器で予熱することにより、本発明に係るコンセプトによって、熱風の加熱に必要な電気エネルギーの消費が抑えられる。この処置のおかげで、システムに供給されるエネルギーの大部分を乾燥のために回復させることができ、効率が改善される。
【００４８】
本発明は、エネルギー変換のためにＩＲラジエータ、ＵＶラジエータあるいはマイクロウェーヴラジエータが内部で使用される乾燥機と共に使用することができる。
【図面の簡単な説明】
【００４９】
【図１】本発明に係る、好適には枚葉紙状の被印刷材料の乾燥を実施するための乾燥装置の構成の概略図である。
【図２】図１の概略図の実施形態である。
【符号の説明】
【００５０】
１  吹出装置
２  誘導装置
３  加熱装置
４  制御装置
５  冷却装置
６  予熱用熱交換器
７  冷却器制御装置
８  導管システム
９  補助熱交換器
１０  側枠
１１  側枠
１２  空調装置
１３  暖気の吸出
１４  再加熱
ＴＬ  空気の温度
ＴＢ  被印刷材料の温度
Ｔmax  乾燥機内の最高温度
【図１】
2009092374.tif 000003
【図２】
2009092374.tif 000004